(57)【要約】【課題】施工性に優れた雨樋を提供する。【解決手段】雨樋本体２と、雨樋本体２に取り付けられる連結部材１１と、連結部材１１を介して雨樋本体２を取付箇所である壁面５に取り付ける固定部１０と、雨樋本体２の長手方向に沿って設けた左右一対の取付レール３，３と、取付レール３，３に設けた弾性係止受部６を備え、連結部材１１は、断面略コ型に形成され、その開放端である連結側板部１９，１９に前記弾性係止受部６が係止可能な弾性係止部２０，２０を備えたことにより、雨樋本体２に対して連結部材１１を容易に取り付けることができるので、作業性の向上を図ることができる。【選択図】図１
2020176425.tif 000002
【特許請求の範囲】
【請求項１】
雨樋本体と、
前記雨樋本体に取り付けられる連結部材と、
前記連結部材を介して前記雨樋本体を取付箇所に取り付ける固定部と、
前記雨樋本体の長手方向に沿って設けた左右一対の取付レールと、
前記取付レールに設けた弾性係止受部を備え、
前記連結部材は、断面略コ型に形成され、その開放端に前記弾性係止受部が係止可能な弾性係止部を備えたことを特徴とする雨樋。
【請求項２】
前記固定部は、前記連結部材に外嵌可能な断面略コ型に形成され、その開放端によって外方から前記連結部材の開放端の開きを規制可能に備えたことを特徴とする請求項１に記載の雨樋。
【請求項３】
前記雨樋本体と前記取付箇所の間隔を調整する間隔調整手段を備えたことを特徴とする請求項１又は２に記載の雨樋。
【請求項４】
前記間隔調整手段は、前記連結部材の貫通部と前記固定部の貫通部を連通する軸部材と、前記連結部材の貫通部と前記固定部の貫通部のいずれか一方を長孔とした構成からなることを特徴とする請求項３記載の雨樋。
【請求項５】
前記雨樋本体と前記取付箇所の隙間を塞ぐ登攀防止部を備えたことを特徴とする請求項１〜４のいずれか１項に記載の雨樋。
【発明の詳細な説明】
【技術分野】
【０００１】
本発明は、雨樋に関するものである。
【背景技術】
【０００２】
従来、この種のものとして、雨樋本体に支持部（連結部材に相当）を一体に設け、壁面などの取付箇所に支持部材（固定部に相当）を取り付け、この支持部を一対の挟持部により挟んだ状態で複数のボルトにより締め付けて支持部材に取り付けるもの（例えば特許文献１）があった。
【先行技術文献】
【特許文献】
【０００３】
【特許文献１】特開２００７−２０５００７号公報
【発明の開示】
【発明が解決しようとする課題】
【０００４】
しかし、特許文献１では、雨樋本体の支持部を支持部材に取り付ける作業が煩雑となり、施工に時間がかかるという問題点があった。
【０００５】
そこで、本発明は、上記課題を解消するものであり、施工性に優れた雨樋を提供することを目的とする。
【課題を解決するための手段】
【０００６】
請求項１の発明は、雨樋本体と、前記雨樋本体に取り付けられる連結部材と、前記連結部材を介して前記雨樋本体を取付箇所に取り付ける固定部と、前記雨樋本体の長手方向に沿って設けた左右一対の取付レールと、前記取付レールに設けた弾性係止受部を備え、前記連結部材は、断面略コ型に形成され、その開放端に前記弾性係止受部が係止可能な弾性係止部を備えたことを特徴とする。
【０００７】
請求項２の発明は、前記固定部は、前記連結部材に外嵌可能な断面略コ型に形成され、その開放端によって外方から前記連結部材の開放端の開きを規制可能に備えたことを特徴とする。
【０００８】
請求項３の発明は、前記雨樋本体と前記取付箇所の間隔を調整する間隔調整手段を備えたことを特徴とする。
【０００９】
請求項４の発明は、前記間隔調整手段は、前記連結部材の貫通部と前記固定部の貫通部を連通する軸部材と、前記連結部材の貫通部と前記固定部の貫通部のいずれか一方を長孔とした構成からなることを特徴とする。
【００１０】
請求項５の発明は、前記雨樋本体と前記取付箇所の隙間を塞ぐ登攀防止部を備えたことを特徴とする。
【発明の効果】
【００１１】
本発明によれば、雨樋本体に対して連結部材を容易に取り付けることができるので、作業性の向上を図ることができる。
【００１２】
また、本発明によれば、連結部材の開放端が外向きに開こうとするのを固定部の開放端によって規制される構成となっており、連結部材の開放端が不用意に外向きに開いて、雨樋本体の弾性係止受部と連結部材の弾性係止部の係止状態が解除されるのを防ぐことができる。
【００１３】
また、本発明によれば、雨樋本体と取付箇所の間隔を容易に調整することができるので、作業性の向上を図ることができる。
【００１４】
また、本発明によれば、簡便な構成で、雨樋本体と取付箇所の間隔を調整することができる。
【００１５】
また、本発明によれば、雨樋本体と取付箇所の間に雨樋本体をよじ登る際に足を掛ける隙間が生じるのを防ぐことができる。
【図面の簡単な説明】
【００１６】
【図１】本発明の実施例１を示す雨樋の平面図である。
【図２】同上、雨樋の分解状態の平面図である。
【図３】同上、雨樋の分解斜視図である。
【図４】同上、図３とは異なる形態の雨樋の分解斜視図である。
【図５】同上、雨樋本体と連結部材の取り付け状態を示す平面図である。
【図６】同上、高さ固定手段を備えた雨樋の斜視図である。
【図７】同上、高さ固定手段回りの一部切り欠き背面図である。
【図８】同上、雨樋の使用状態を示す斜視図である。
【図９】本発明の第２実施例における雨樋の使用状態を示す斜視図である。
【発明を実施するための最良の形態】
【００１７】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な雨樋を採用することにより、従来にない雨樋が得られ、その雨樋について記述する。
【実施例１】
【００１８】
以下、本発明の雨樋を添付図面を参照して説明する。図１〜図８は、本発明の実施例１を示し、同図に示すように、雨樋１は、雨樋本体２の上下方向に沿って取付部たる取付レール３を設け、この取付レール３に取付部材４を連結し、この取付部材４を取付箇所たる建築物の壁面５に固定することにより、この壁面５と間隔をおいて前記雨樋本体２が該壁面５に固定される。尚、この例では前記雨樋本体２の断面形状は円形である。また、取付レール３を一体に設けた雨樋本体２は、アルミニウム又はアルミニウム合金製が例示されるが、材質に係らず押出し成型機や曲げ成型機などによる押出し成型や曲げ加工などにより形成され、図に示す断面形状が長さ方向全長に連続して形成され、以下の実施例の取付部材４も断わりのない場合、同一断面形状が長さ方向に連続する。
【００１９】
図１などに示すように、取付レール３は、雨樋本体２の外面から突出し、外側に向かって間隔が僅かに狭まる左右対称の雨樋本体側弾性係止部たる弾性係止受部６，６を一体に備え、これら弾性係止受部６，６は略一定厚さの板状の弾性片７，７を有し、それら弾性片７，７の先端に、係止部たる係止頭部８，８を有する。また、前記係止頭部８の先端部８Ａは円弧面に形成されている。さらに、弾性係止受部６，６は、雨樋本体２の略全長に設けられる。この例では、係止頭部８，８の基端の左右外側に係止段部９，９が設けられている。そして、雨樋本体２の外周面側を弾性係止受部６の弾性片７の基端側とする。この例では、固定部１０の弾性係止部２０が前記雨樋本体２の前記弾性係止受部６に嵌合する。
【００２０】
この例では、前記取付部材４は、前記壁面５に固定される固定部１０と、この固定部１０と前記取付レール３とを連結する連結部材１１とを備え、この連結部材１１を雨樋本体２に固定した後、前記固定部１０に前記連結部材１１が連結される。そして、固定部１０が取付箇所側部材であり、取付レール３と連結部材１１が雨樋本体側部材である。
【００２１】
また、この例では、前記連結部材１１の長さは前記取付レール３の長さより短く、固定部１０の長さは連結部材１１の長さと等しく、複数の取付部材４が雨樋本体２の長さ方向に間隔を置いて壁面５に取り付けられる。
【００２２】
前記固定部１０は、前記壁面５に当接する板状の固定本体１２を備えている。前記固定本体１２には、長さ方向に間隔を置いて単数又は複数の長孔１３が穿設され、この長孔１３に、取付箇所への固定手段であるアンカーボルト１４を挿通し、このアンカーボルト１４を壁面５に埋設固定している。長孔１３は、横方向に長手方向を有する。また、固定部１０は、前記固定本体１２の左右両側から先端側（雨樋本体２側）に突設した固定側板部（固定部１０の側板部）１５，１５を備えている。固定側板部１５，１５には、長さ方向に間隔を置いて単数又は複数の透孔１６，１６が穿設されている。
【００２３】
前記連結部材１１は、固定本体１２と対向する板状の連結本体１７を備えている。前記固定本体１２には、長さ方向に間隔を置いて単数又は複数の透孔１８が穿設され、この透孔１８に、アンカーボルト１４が挿通される。また、連結部材１１は、連結本体１７の左右両側から先端側（雨樋本体２側）に突設した連結側板部（連結部材１１の側板部）１９，１９と、この連結側板部１９の先端に設けられた雨樋本体側弾性係止部たる弾性係止部２０とを備え、この弾性係止部２０は先端側内面に傾斜面２０Ａを設け、この傾斜面２０Ａの基端に左右方向の係止段部２０Ｂが設けられている。連結側板部１９，１９には横方向に長手方向を有する長孔２１が穿設されている。
【００２４】
連結側板部１９，１９間の間隔は、固定側板部１５，１５間の間隔より小さく形成されており、固定部１０の内部に連結部材１１を収容することが可能な構成としている。固定部１０と連結部材１１は同じ長さとしており、固定側板部１５と連結側板部１９は上下方向の寸法を略同一に形成されている。尚、前記弾性係止部２０が取付箇所側弾性係止部であり、前記弾性係止受部６が雨樋本体側弾性係止部である。
【００２５】
前記左右の弾性係止受部６，６が前記弾性係止部２０，２０に前後方向（近付く方向）から係止することにより前記固定部１０に前記連結部材１１が連結される。具体的には、弾性係止受部６，６と前記弾性係止部２０，２０を近付けると、前記傾斜面２０Ａに湾曲状の先端部８Ａが当接し、さらに、近付けると、左右の弾性係止受部６，６が近付くように弾性変形した後、係止段部９，２０Ｂ同士が係止する。尚、この場合、左右の弾性係止部２０，２０を設けた固定側板部１９も弾性変形して開くように構成してもよい。そして、前記係止受部６により、連結部材１１を固定部１０に連結する固定部側連結部を構成している。前記係止段部９，２０Ｂ同士が係止した連結状態で、前記弾性係止部２０の先端部２０Ｃが、雨樋本体２に当接又は近接する。
【００２６】
前記連結側板部１９，１９の内面の左右には、前記弾性係止部２０，２０に近接して基端側に、ビスホール２２，２２を設け、このビスホール２２は前後一対の湾曲状突片２３，２３により形成され、これらビス用の突片２３，２３の先端間に開口部が設けられている。そして、図１に示すように、前記係止頭部８の係止段部９に、前記弾性係止部２０の係止段部２０Ｂを係止した状態で、先端部８Ａが一方のビス用突片２３の外面に当接すると共に、弾性係止部２０の先端部２０Ｃが雨樋本体２に当接する。或いは、当接ではなく、近接でもよい。これらの当接又は近接により、それ以上、雨樋本体２を壁面５側に押し込むことができない。
【００２７】
また、連結部材１１の連結側板部１９，１９の先端は自由端であるが、その連結側板部１９の先端側にビスホール２２を設けることにより、連結後、風などにより雨樋本体２を左右斜めにしようとする力などが加わっても、ビスホール２２，２２の箇所が対抗し、変形を防止することができ、連結側板部１９，１９の先端側の強度を確保することができる。
【００２８】
次に、上記構成につきその作用・効果を説明する。固定部１０をアンカーボルト１４により壁面５に固定する。一方、雨樋本体２の弾性係止受部６と連結部材１１の弾性係止部２０とを係止して、雨樋本体２に連結部材１１を取り付ける。図２の状態から雨樋本体２に連結部材１１を押し付けて雨樋本体２の弾性係止受部６と連結部材１１の弾性係止部２０とを係止させる以外に、図５に示すように、雨樋本体２の弾性係止受部６の一方と、これと対向する連結部材１１の弾性係止部２０の一方とを係止させた状態で、雨樋本体２の弾性係止受部６の一方と連結部材１１の弾性係止部２０の一方との連結部分を回転軸として雨樋本体２を横方向（水平方向）に回転させて、雨樋本体２の弾性係止受部６の他方と、これと対向する連結部材１１の弾性係止部２０の他方とを近づけていき、雨樋本体２の弾性係止受部６の他方と、連結部材１１の弾性係止部２０の他方とを係止させる。雨樋本体２の弾性係止受部６の他方と、連結部材１１の弾性係止部２０の他方とが係止する際、先端部８Ａが傾斜面２０Ａに沿って摺動していくので、雨樋本体２の弾性係止受部６の他方と、連結部材１１の弾性係止部２０の他方とを容易に係止させることができる。このように弾性係止受部６と弾性係止部２０は、弾性片７と連結側板部１９のそれぞれの弾性性能を活かしたスナップバック式のワンタッチでの係止が可能となっている。
【００２９】
次に、雨樋本体２及び連結部材１１を固定部１０に固定する。固定部１０の開放側である固定側板部１５，１５間に連結部材１１を閉塞側である連結本体１７側から挿入していき、透孔１６に長孔２１を合わせる。そして、透孔１６，１６と長孔２１，２１に雄ねじ部材であるボルト２４を挿通した状態で、長孔２１，２１の長辺２１Ａに沿ってボルト２４が移動可能な範囲内において連結部材１１を固定部１０の固定側板部１５に沿って前後方向に出し入れすることで、雨樋本体２と固定部１０との間隔や雨樋本体２の傾きを調整する位置決め作業を行う。
【００３０】
この位置決め状態で、ボルト２４に雌ねじ部材である袋ナット２５を螺合して締めることにより、固定部１０に連結部材１１が連結固定され、雨樋本体２が固定部２に固定される。このように、長孔２１，２１とボルト２４・袋ナット２５の組み合わせからなる連結手段により、雨樋本体２の位置決め作業と固定作業を容易に行うことができる。断面略コ型の連結部材１１に対して断面略コ型の固定部１０が横方向から外嵌されると、固定部１０と連結部材１１は横向きに積み重なった状態となる。
【００３１】
この重なった状態では、連結側板部１９の外側に固定側板部１５が配置されており、連結側板部１９が外向きに開こうとするのを固定側板部１５によって規制される構成となっており、連結側板部１９が不用意に外向きに開いて、雨樋本体２の弾性係止受部６と連結部材１１の弾性係止部２０の係止状態が解除されるのと防ぐことができる。
【００３２】
図６及び図７に示すように、ビス２６を弾性片７に螺合して、このビス２６が連結側板部１９の上端に係止されることで、雨樋本体２が連結部材１１に対して下がるのを防止することができる。必要に応じて、連結部材１１の上端位置で弾性片７にビス２６を螺合し、このビス２６の頭部２６Ｔを連結側板部１９の上縁に係止する。これにより、連結部材１１に対して雨樋本体２の下方へのズレを防止できる。尚、ビス２６の頭部２６Ｔは連結側板部１９の上縁に当接又は近接する。そして、ビス２６が高さ固定手段である。また、ビス２６にはタッピングネジを用いることができる。図６では、両方の弾性片７，７にビス２６を螺合したが、一方の弾性片７のみにビス２６を螺合してもよい。尚、ビス２６以外でも、弾性片７に孔を穿設し、この孔にピン（図示せず）を圧入などにより固定し、このピンを連結側板部１９の上縁に係止してもよく、前記ビス２６もピン状部材である。
【００３３】
図３及び図４に示すように固定本体１２には、ビスホール２７が設けられており、固定部１０の上部を被覆するカバー部材２８がビス２９を介してビスホール２７に取り付けられる。カバー部材２８で固定部１０の上部を被覆することで、固定部１０の内部にゴミや雨が侵入するのを防ぐとともに、固定部１０の変形を防ぐことで、固定側板部１５により連結側板部１９を外側から抑えるという効果を高め、弾性係止受部６と弾性係止部２０の係止が不意に解除されるのを防ぐことができる。
【００３４】
このように本実施例では、請求項１に対応して、雨樋本体２と、雨樋本体２に取り付けられる連結部材１１と、連結部材１１を介して雨樋本体２を取付箇所である壁面５に取り付ける固定部１０と、雨樋本体２の長手方向に沿って設けた左右一対の取付レール３，３と、取付レール３，３に設けた弾性係止受部６を備え、連結部材１１は、断面略コ型に形成され、その開放端である連結側板部１９，１９に前記弾性係止受部６が係止可能な弾性係止部２０，２０を備えたことにより、雨樋本体２に対して連結部材１１を容易に取り付けることができるので、作業性の向上を図ることができる。
【００３５】
また、本実施例では、請求項２に対応して、固定部１０は、連結部材１１に外嵌可能な断面略コ型に形成され、その固定側板部１５によって外方から連結部材１１の連結側板部１９の開きを規制可能に備えことにより、連結部材１１の連結側板部１９が外向きに開こうとするのを固定部１０の固定側板部１５によって規制される構成となっており、連結部材１１の連結側板部１９が不用意に外向きに開いて、雨樋本体２の弾性係止受部６と連結部材１１の弾性係止部２０の係止状態が解除されるのを防ぐことができる。
【００３６】
また、本実施例では、請求項３に対応して、雨樋本体２と壁面５の間隔を調整する間隔調整手段である長孔２１とボルト２４・ナット２５を備えたことにより、雨樋本体２と壁面５の間隔と容易に調整することができるので、作業性の向上を図ることができる。
【００３７】
また、本実施例では、請求項４に対応して、間隔調整手段は、連結部材１１の貫通部である長孔２１と前記固定部１０の貫通部である透孔１６を連通する軸部材であるボルト２４と、連結部材１１の長孔２１とした構成とすることで、簡便な構成で、雨樋本体２と壁面５の間隔を調整することができる。
【実施例２】
【００３８】
図９は本発明の実施例２を示し、上記実施例１と同一部分に同一符号を付し、その詳細な説明を省略して詳述する。この例の固定部１０と連結部材１１は、図９に示すように雨樋本体２と略同じ長さのものを用いており、図１に示すように連結部材１１に対して固定部１０が横方向から外嵌されて、固定部１０と連結部材１１が横向きに積み重なった状態では、固定側板部１５と連結側板部１９によって雨樋本体２と壁面５の隙間が塞がれており、雨樋本体２をよじ登る際に足を掛けることができない。固定側板部１５と連結側板部１９からなる登攀防止部３０が設けられているため、雨樋１を用いてよじ登ることを防止できる。また、固定側板部１５に対して連結側板部１９をスライド自在に備えているため、雨樋本体２と壁面５との隙間に応じて、連結側板部１９が固定側板部１５から出し入れされるので、雨樋本体２と壁面５の隙間に雨樋本体２をよじ登る際に足を掛ける隙間を生じさせない。
【００３９】
このように本実施例では請求項５に対応して、雨樋本体２と壁面５の隙間を塞ぐ登攀防止部３０を備えたことにより、雨樋本体２と壁面５の間に雨樋本体２をよじ登る際に足を掛ける隙間が生じるのを防ぐことができる。
【００４０】
以上、本発明の実施例について詳述したが、本発明は前記各実施形態に限定されるものではなく、本発明の要旨の範囲内で種々の変形実施が可能である。例えば、実施例では、連結部材の連結側板部に長孔を設けたが、逆に、固定部の固定側板部に長孔を設けてもよい。また、雨樋本体は断面円形に限らず、方形や多角形でもよい。
【符号の説明】
【００４１】
１  雨樋
２  雨樋本体
３  取付レール
５  壁面（取付箇所）
６  弾性係止受部
１０  固定部
１１  連結部材
１５  固定側板部（開放端）
１６  透孔（貫通部）
１９  連結側板部（開放端）
２０  弾性係止部
２１  長孔（貫通部、間隔調整手段）
２４  ボルト（雄ねじ部材、間隔調整手段）
２５  袋ナット（雌ねじ部材、間隔調整手段）
３０  登攀防止部
【図１】
2020176425.tif 000003
【図２】
2020176425.tif 000004
【図３】
2020176425.tif 000005
【図４】
2020176425.tif 000006
【図５】
2020176425.tif 000007
【図６】
2020176425.tif 000008
【図７】
2020176425.tif 000009
【図８】
2020176425.tif 000010
【図９】
2020176425.tif 000011